(57)【要約】      （修正有）【課題】必要な温度データを効率よく収集し、記録する方法、装置、温度制御システムおよびコンピュータプログラムを提供する。【解決手段】空間３０の温度を収集して記録する温度記録方法であって、第１ステップ〜第６ステップを備える。第１ステップでは、現在時刻Ｔおよび現在温度Ｐを所定の時間間隔で取得する。第２ステップでは、記録されている前回記録時刻ＴLおよび前回記録温度PLを取得する。第３ステップでは、現在時刻Ｔおよび前回記録時刻ＴLの差である経過時間の長さを把握する。第４ステップでは、現在温度Ｐおよび前回記録温度PLの差である温度変化の大きさを把握する。第５ステップでは、第３および第４ステップをそれぞれ実行した結果に基づき、現在温度Ｐを記録するか否かの判断を行う。第６ステップでは、第５ステップにおいて現在温度Ｐを記録するという判断を行った場合において、現在時刻Ｔおよび現在温度Ｐを記録する。【選択図】図２
2007085780.tif 000002
【特許請求の範囲】
【請求項１】
空間（３０）の温度を収集して記録する温度記録方法であって、
所定の時間間隔で現在時刻（Ｔ）および現在温度（Ｐ）を取得する第１ステップ（Ｓ１０１，Ｓ２０１）と、
記録されている前回記録時刻（ＴL）および前回記録温度（PL）を取得する第２ステップ（Ｓ１０１，Ｓ２０１）と、
前記現在時刻（Ｔ）および前記前回記録時刻（ＴL）の差である経過時間の長さを把握する第３ステップ（Ｓ１０２〜Ｓ１０３，Ｓ２０２〜Ｓ２０３）と、
前記現在温度（Ｐ）および前記前回記録温度（PL）の差である温度変化の大きさを把握する第４ステップ（Ｓ１０４〜Ｓ１０５，Ｓ２０４〜Ｓ２０５）と、
前記第３および第４ステップをそれぞれ実行した結果に基づき、前記現在温度（Ｐ）を記録するか否かの判断を行う第５ステップ（Ｓ１０２〜Ｓ１０７、Ｓ２０２〜Ｓ２０５）と、
前記第５ステップにおいて前記現在温度（Ｐ）を記録するという判断を行った場合において、前記現在時刻（Ｔ）および前記現在温度（Ｐ）を記録する第６ステップ（Ｓ１０８，Ｓ２０６）と、
を備えてなる、温度記録方法。
【請求項２】
前記第３ステップ（Ｓ１０２〜Ｓ１０３，Ｓ２０２〜Ｓ２０３）において、前記経過時間の長さは、所定の最小記録時間および所定の最大記録時間に基づき把握する、
請求項１記載の温度記録方法。
【請求項３】
前記第４ステップ（Ｓ１０４〜Ｓ１０５，Ｓ２０４〜Ｓ２０５）において、前記温度変化の大きさは、所定のしきい値を基準に把握する、
請求項１又は２記載の温度記録方法。
【請求項４】
前記第４ステップ（Ｓ１０４〜Ｓ１０５，Ｓ２０４〜Ｓ２０５）の前記温度変化が連続した場合において、所定時間、前記現在温度（Ｐ）を記録しない第７ステップ（Ｓ１０６，Ｓ１０７）をさらに備えてなる、
請求項１〜３のいずれかに記載の温度記録方法。
【請求項５】
空間（３０）の温度を収集して記録する温度記録装置（１０）であって、
所定の時間間隔で現在時刻（Ｔ）および現在温度（Ｐ）を受信する受信手段（１１）と、
前記空間（３０）の過去における記録時刻（…ＴL）および記録温度（…ＰL）を格納したデータベース（１２ｂ）を含む記憶手段（１２）と、
演算処理手段（１３）と
を備え、
前記演算処理手段（１３）は、
前記現在時刻（Ｔ）、前記現在温度（Ｐ）、前回記録時刻（TL）および前回記録温度（ＰL）を読み出し、
前記現在時刻（Ｔ）および前回記録時刻（TL）の差である経過時間を算出して、前記経過時間の長さについて比較演算を行い、
前記現在温度（Ｐ）および前記前回記録温度（ＰL）の差である温度変化を算出して、前記温度変化の大きさについて比較演算を行い、
前記それぞれの比較演算の結果に基づき、前記現在温度（Ｐ）を記録するか否かを判断し、
前記現在温度（Ｐ）を記録する判断を行った場合において、前記現在時刻（Ｔ）および前記現在温度（Ｐ）を前記データベース（１２ｂ）に格納する、
温度記録装置。
【請求項６】
前記演算処理手段（１３）は、前記経過時間の長さと、所定の最小記録時間及び所定の最大記録時間のそれぞれとを比較演算する、
請求項５記載の温度記録装置。
【請求項７】
前記演算処理手段（１３）は、前記温度変化の大きさと所定のしきい値とを比較演算する、
請求項５又は６記載の温度記録装置。
【請求項８】
前記空間（３０）は、設備機器の内部である、
請求項５〜７のいずれかに記載の温度記録装置。
【請求項９】
前記設備機器（３０）は、ショーケースである、
請求項８記載の温度記録装置。
【請求項１０】
前記演算処理手段（１３）は、前記温度変化が連続した場合において、所定時間、前記現在温度（Ｐ）を記録しない判断を行う、
請求項５〜９のいずれかに記載の温度記録装置。
【請求項１１】
空間（３０）の温度制御システム（１）であって、
請求項５〜１０のいずれかに記載の前記温度記録装置（１０）と、
前記温度記録装置（１０）が接続されたネットワーク（２０）と、
前記空間（３０）に配され、前記空間（３０）の温度を制御するとともに、前記ネットワーク（２０）を介して前記温度記録装置（１０）と通信可能な温度制御装置（３１）と、
を備え、
前記温度制御装置は、前記空間（３０）の温度を感知する温度センサ（３１ａ）と、
前記温度センサ（３１ａ）から温度データを受信して、前記温度データを前記温度記録装置（１０）の前記受信手段（１１）に送信するコントローラ（３１）と、
を有する、温度制御システム。
【請求項１２】
空間の温度を収集して記録するためのコンピュータプログラム（１２ａ）であって、
現在時刻（Ｔ）、現在温度（Ｐ）、前回記録時刻（ＴL）および前回記録温度（PL）をそれぞれ読み出す第１ステップ（Ｓ１０１，Ｓ２０１）と、
前記現在時刻（Ｔ）と前記前回記録時刻（ＴL）との差である経過時間を算出する第２ステップ（Ｓ１０２〜Ｓ１０３，Ｓ２０２〜Ｓ２０３）と、
前記経過時間と所定の最小記録時間とを比較する第３ステップ（Ｓ１０２，Ｓ２０２）と、
前記経過時間と所定の最大記録時間とを比較する第４ステップ（Ｓ１０３，Ｓ２０３）と、
前記前回記録温度（PL）と所定のしきい値との差と、前記現在温度（Ｐ）とを比較する第５ステップ（Ｓ１０４，Ｓ２０４）と、
前記前回記録温度（PL）と所定のしきい値との和と、前記現在温度（Ｐ）とを比較する第６ステップ（Ｓ１０５，Ｓ２０５）と、
前記第３〜第６ステップをそれぞれ実行した結果に基づき、前記現在温度（Ｐ）を記録するか否かの判断を行う第７ステップ（Ｓ１０２〜Ｓ１０５、Ｓ２０２〜Ｓ２０５）と、
前記第７ステップにおいて、前記現在温度（Ｐ）を記録するという判断を行った場合、前記現在時刻（Ｔ）および前記現在温度（Ｐ）を記録する第８ステップ（Ｓ１０８，Ｓ２０６）と
前記第８ステップの後、前記現在時刻（Ｔ）を前記前回記録時刻（ＴL）として記憶させ、前記現在温度（Ｐ）を前記前回記録温度（PL）として記憶させる第９ステップ（Ｓ１０９，Ｓ２０７）と、
を備えてなる、コンピュータプログラム。
【請求項１３】
前記第５ステップを実行した結果に基づき、前記第７ステップにおいて前記現在温度（Ｐ）を記録するという判断を連続して行った後において、所定時間、前記現在温度（Ｐ）を記録しない第１０ステップ（Ｓ１０６，Ｓ１０７）と、
前記第６ステップを実行した結果に基づき、前記第７ステップにおいて前記現在温度（Ｐ）を記録するという判断を連続して行った後において、所定時間、前記現在温度（Ｐ）を記録しない第１１ステップ（Ｓ１０６，Ｓ１０７）と、
をさらに備えてなる、請求項１２記載のコンピュータプログラム。
【発明の詳細な説明】
【技術分野】
【０００１】
本発明は、温度記録方法、温度記録装置、温度制御システムおよび温度記録のためのコンピュータプログラムに関する。
【背景技術】
【０００２】
従来、設備機器などの温度は、一定間隔ごとに収集され記録されている。
【特許文献１】特開２００５−１２７５４０号公報
【発明の開示】
【発明が解決しようとする課題】
【０００３】
しかし、たとえばショーケースの庫内温度は、通常は一定の温度となるよう制御され、デフロスト運転時には急激な温度変化が生じる。このように、温度変化が大きいときも小さいときも一律に一定の時間間隔で温度を記録した場合、次のような問題が生じる。
もし温度記録をとる時間間隔に開きがあると、その間に急激な温度変化が起こった場合、その変化が記録されない（図４参照）。他方、温度記録をとる時間間隔を狭くすると、記録データが膨大になり、記憶容量を圧迫し、長時間分の温度データがとれない。
【０００４】
本発明は、かかる問題を解消し、必要な温度データを効率よく収集し、記録する方法、装置、温度制御システムおよびコンピュータプログラムを提供することである。
【課題を解決するための手段】
【０００５】
第１発明の温度記録方法は、空間の温度を収集して記録する温度記録方法であって、第１ステップ〜第６ステップを備える。第１ステップでは、現在時刻および現在温度を所定の時間間隔で取得する。第２ステップでは、記録されている前回記録時刻および前回記録温度を取得する。第３ステップでは、現在時刻および前回記録時刻の差である経過時間の長さを把握する。第４ステップでは、現在温度および前回記録温度の差である温度変化の大きさを把握する。第５ステップでは、第３および第４ステップをそれぞれ実行した結果に基づき、現在温度を記録するか否かの判断を行う。第６ステップでは、第５ステップにおいて現在温度を記録するという判断を行った場合において、現在時刻および現在温度を記録する。
【０００６】
ここでは、従来のように一定間隔で機械的に温度を記録するのではなく、一定の温度変化があったとき、もしくは前回記録時刻からの経過時間が長かったときなどに温度を記録することが可能となる。反対に、温度変化があまりなかったときや、前回記録時刻からの経過時間が短すぎるときは記録しない。よって、記録される温度のデータ量を必要最低限に抑えつつ、温度管理に必要な温度データを効率的に記録することができる。
【０００７】
なお、上記温度記録方法における第１〜第６ステップの順序は記載されたものに限定されるものではなく、実施態様などに応じて変更可能なものである。
また、現在温度とは最近に計測された温度であり、現在時刻とはその温度が計測された時刻をいう。前回記録温度とは、記録されている温度データのうち最新の温度であり、前回記録温度とはその最新の温度が計測された時刻をいう。
【０００８】
第２発明の温度記録方法は、第１発明にかかる温度記録方法であって、第３ステップにおいて、経過時間の長さを所定の最小記録時間および所定の最大記録時間に基づき把握する。
最小記録時間とは、前回記録時刻から最低どの程度の時間を経過しないと、現在温度を記録しないのか判断するための基準となる最小時間であり、予め設定される。最大記録時間とは、前回記録時刻から長時間経っている場合に、温度変化がなくとも、強制的に現在温度の記録をとるために予め設定されるものである。
【０００９】
ここでは、最小記録時間および最大記録時間を設定することにより、設備や環境などに応じた温度記録をとることができる。たとえば、温度変化がほとんどない空間の場合、最小記録時間を長く設定すれば、温度が記録される頻度は少なくなるため、データ量を抑えることが可能となる。一方、最大記録時間を短く設定すれば、温度変化があまり起きない状態が続いた場合でも、一定間隔で温度は記録されることになり、より多くの温度データを取得することができる。
【００１０】
第３発明の温度記録方法は、第１または第２発明にかかる温度記録方法であって、第４ステップにおいて、温度変化の大きさを、所定のしきい値を基準に把握する。
しきい値は、どの程度のプラスまたはマイナスの温度変化があった場合、現在温度の記録をとるのかを判断するための基準となる値である。このしきい値は、温度記録をとる空間の種類や使用状況などに応じて、予め設定されるものである。たとえば、温度変化が大きい空間については、しきい値を大きく設定し、温度変化が微小な空間については、しきい値を小さく設定することにより、正確な温度データをとりつつデータ量の節減が可能となる。
ここでは、設備や環境などに応じた、温度記録をとることができる。
【００１１】
第４発明の温度記録方法は、第１〜第３発明のいずれかにかかる温度記録方法であって、第７ステップをさらに備える。この第７ステップにおいては、第４ステップの温度変化が連続した場合において、所定時間、現在温度を記録しない。
第１〜第３発明の温度記録方法では、温度変化の大きさがたとえば大きいときは、温度の記録が常にとられるが、第４発明の温度記録方法では、プラス又はマイナスの大きい温度変化が連続した場合においては、所定時間温度の記録はとられない。
ここでは、記録するデータ量が抑制できるとともに、温度管理に必要な温度データを、さらに効率的に記録することができる。なお、上記温度記録方法における第７ステップの順序は記載されたものに限定されるものではない。
【００１２】
第５発明の温度記録装置は、空間の温度を収集して記録する装置であって、受信手段と、記憶手段と、演算処理手段とを備える。受信手段は、現在時刻および現在温度を所定の時間間隔で受信する。記憶手段は、空間の過去における記録時刻および記録温度を格納したデータベースを含む。演算処理手段は、現在時刻、前回記録時刻、現在温度および前回記録温度を読み出す。演算処理手段はさらに、現在時刻および前回記録時刻の差である経過時間を算出して、経過時間の長さについて比較演算を行う。演算処理手段はまた、現在温度および前回記録温度の差である温度変化を算出して、温度変化の大きさについて比較演算を行う。そして演算処理手段は、それぞれの比較演算の結果に基づき、現在温度を記録するか否かを判断し、現在温度を記録する判断を行った場合において、現在時刻および現在温度をデータベースに格納する。
ここでは、第１発明の温度記録方法と同様に、記録されるデータ量を必要最低限に抑えつつ、温度管理に必要な温度データを効率的に記録することを可能とする。
【００１３】
第６発明の温度記録装置においては、第５発明にかかる温度記録装置であって、演算処理手段が、前記経過時間の長さと、所定の最小記録時間及び所定の最大記録時間のそれぞれとを比較演算する。
ここでは、第２発明の温度記録方法と同様に、設備や環境などに応じた温度記録をとることが可能となる。
【００１４】
第７発明の温度記録装置においては、第５または第６発明にかかる温度記録装置であって、演算処理手段は、温度変化の大きさと所定のしきい値とを比較演算する。
ここでは、第３発明の温度記録方法と同様に、設備や環境などに応じた温度記録をとることが可能となる。
【００１５】
第８発明の温度記録装置においては、第５〜第７発明にかかる温度記録装置であって、空間は、設備機器の内部である。
第９発明の温度記録装置においては、第８発明にかかる温度記録装置であって、設備機器はショーケースである。
ここでは、温度記録装置が、室内などの空間に限られず、設備機器、ショーケースなどへ適用することを可能とする。特に、ショーケースの庫内温度は、一定の場合が多いものの、デフロスト制御時には急激に温度が上昇する。そのような温度変化を監視する場合において、温度の記録間隔を効率的に変更できる。
【００１６】
第１０発明の温度記録装置においては、第５〜第９発明のいずれかにかかる温度記録装置であって、演算処理手段は、温度変化が連続した場合において、所定時間、現在温度を記録しない判断を行う。
ここでは、第４発明の温度記録方法と同様に、記録するデータ量が抑制できるとともに、温度管理に必要な温度データを、さらに効率的に記録することができる。
【００１７】
第１１発明の温度制御システムは、空間の温度を制御するシステムであって、第５〜第１０発明の温度記録装置と、ネットワークと、温度制御装置とを備える。温度記録装置はネットワークに接続される。温度制御装置は、空間に配され、空間の温度を制御するとともに、ネットワークを介して温度記録装置と通信可能である。温度制御装置は、温度センサとコントローラとを備える。温度センサは、空間の温度を感知する。コントローラは、温度センサから温度データを受信して、温度データを温度記録装置の受信手段に送信する。
ここでは、空調制御システムなど既存の遠隔制御システムに、上記温度記録装置を導入すればよく、低コストで導入が簡単な温度制御システムが実現できる。
【００１８】
第１２発明のコンピュータプログラムは、第１ステップ〜第９ステップを備える。第１ステップでは、現在時刻、現在温度、前回記録時刻および前回記録温度をそれぞれ読み出す。第２ステップでは、現在時刻と前回記録時刻との差である経過時間を算出する。第３ステップでは、経過時間と所定の最小記録時間とを比較する。第４ステップでは、経過時間と所定の最大記録時間とを比較する。第５ステップでは、前回記録温度と所定のしきい値との差と、現在温度とを比較する。第６ステップでは、前回記録温度と所定のしきい値との和と、現在温度とを比較する。第７ステップでは、第３〜第６ステップをそれぞれ実行した結果に基づき、現在温度を記録するか否かの判断を行う。第８ステップでは、第７ステップにおいて、現在温度を記録するという判断を行った場合、現在時刻および現在温度を記録する。第９ステップでは、第８ステップの後、現在時刻を前回記録時刻として記憶させ、現在温度を前回記録温度として記憶させる。
ここでは、記録されるデータ量を必要最低限に抑えつつ、温度管理に必要な温度データを効率的に記録することを可能とする。なお、上記コンピュータプログラムにおける第１〜第９ステップの順序は記載されたものに限定されるものではなく、実施態様などに応じて変更可能なものである。
【００１９】
第１３発明のコンピュータプログラムは、第１２発明のコンピュータプログラムであって、第１０および第１１ステップをさらに備える。第１０ステップでは、第５ステップを実行した結果に基づき、第７ステップにおいて現在温度を記録するという判断を連続して行った後において、所定時間、現在温度を記録しない。第１１ステップでは、第６ステップを実行した結果に基づき、第７ステップにおいて現在温度を記録するという判断を連続して行った後において、所定時間、現在温度を記録しない。
【００２０】
ここでは、記録するデータ量が抑制できるとともに、温度管理に必要な温度データを、さらに効率的に記録することができる。なお、上記コンピュータプログラムにおける第１０および第１１ステップの順序は記載されたものに限定されるものではない。
【発明の効果】
【００２１】
本発明によれば、記録される温度のデータ量を必要最低限に抑えつつ、温度管理に必要な温度データを効率的に記録することができる。
【発明を実施するための最良の形態】
【００２２】
（本発明の実施形態）
本発明の一実施形態に係る温度記録装置を含む温度制御システムについて、図１〜図４を参照して以下に説明する。
＜全体構成＞
図１に示される温度制御システム１は、インターネットなどのネットワーク２０を介して接続される管理センタ５０と店舗に設けられたＬＡＮ（ローカルエリアネットワーク）４０とから構成される。
【００２３】
＜管理センタ＞
管理センタ５０は、ネットワーク２０を介した遠隔操作により複数の店舗の空調管理やショーケースの温度管理を行う。管理センタ５０には、ショーケースの温度管理を行う温度記録装置１０が設けられている。
温度記録装置１０は、図１に示すように、受信部１１、記憶装置１２およびＣＰＵ１３を有する。受信部１１は、ネットワーク２０を介して送信された計測温度および計測時刻（以下、温度情報と称する）を受信する。ＣＰＵ１３は、受信部からの温度情報について後述する演算処理を行い、温度情報を記録するかどうかを判断する。記憶装置１２は、温度記録プログラム１２ａとデータベース１２ｂとを有する。温度記録プログラム１２ａは、後述する温度記録方法の処理を実行するためのコンピュータプログラムである。データベース１２ｂは、記録された温度データを格納する。
【００２４】
＜ＬＡＮ＞
図１に示すように、ＬＡＮ４０は各店舗に敷設され、ネットワーク２０に接続されるルータ２１、ルータ２１に接続され複数のショーケース３０内にそれぞれ設けられたコントローラ３１を備える。
コントローラ３１は、ショーケース内の温度制御を行うとともに、ショーケース３０内の温度を計測、収集して管理センタ５０の温度記録装置１０に送信する。コントローラ３１は、ショーケース３０内の温度を感知する温度センサ３１ａと、ショーケース内の霜取りを行うデフロストヒーター３１ｂと、冷凍装置３１ｃとを備える。
【００２５】
＜温度制御システムの処理の流れ＞
各店舗のショーケース３０の温度は、温度センサ３１ａにより感知され、所定の時間間隔ごとに計測される。その計測時刻と計測温度はコントローラ３０からネットワーク２０を介して管理センタ５０の温度記録装置１０に送信される。温度記録装置１０の受信部１１により受信された温度情報は、次に説明する温度記録プログラム１２ａにより処理される。
【００２６】
＜温度記録プログラムによる処理の流れ＞
図２は、本実施形態による温度記録方法の処理の流れを示すフローチャート、すなわち、ＣＰＵ１３が実行する温度記録プログラム１２ａの処理である。
Ｓ１０１において、ＣＰＵ１３は、温度記録装置１０の受信部１１より、計測時刻である現在時刻Ｔと、現在時刻Ｔにおける計測温度である現在温度Ｐとを取得する。さらにＣＰＵ１３は、データベース１２ｂより、前回記録時刻ＴLおよび前回記録温度ＰLを読み込む。なお、前回記録時刻ＴLおよび前回記録温度ＰLとは、過去に記録された時刻および温度のうち最新に記録された時刻および温度をいう。
【００２７】
Ｓ１０２において、ＣＰＵ１３は、現在時刻Ｔと前回記録時刻ＴLとの差分（以下、Ｔ−ＴL差分と称する）と、予め設定された最小記録時間である１分とを比較演算する。比較演算の結果、Ｔ−ＴL差分が１分未満であれば、ＣＰＵ１３は処理を終了し、現在温度Ｐは記録されない。Ｔ−ＴL差分が１分以上であれば、Ｓ１０３に進む。なお、最小記録時間は、設備や環境などに応じて自由に設定できるものである。
【００２８】
Ｓ１０３においては、ＣＰＵ１３は、Ｔ−ＴL差分と、予め設定された最大記録時間である１５分とを比較演算する。比較演算の結果、Ｔ−ＴL差分が１５分以上であれば、Ｓ１０８に進み、現在時刻Ｔおよび現在温度Ｐが記録される。Ｔ−ＴL差分が１５分未満であれば、Ｓ１０４に進む。なお、最大記録時間は設備や環境などに応じて自由に設定できるものである。
【００２９】
Ｓ１０４においては、ＣＰＵ１３は、前回記録温度ＰLと予め設定されたしきい値である１℃との差分（以下、ＰLマイナス温度と称する）と、現在温度Ｐとを比較演算する。比較演算の結果、ＰLマイナス温度が現在温度Ｐよりも大きければ、Ｓ１０６に進む。ＰLマイナス温度が現在温度Ｐ以下であれば、Ｓ１０５に進む。
なお、このしきい値は、どの程度の温度変化があれば記録に残すべきかを基準に、設備や環境などに応じて自由に設定できる。
【００３０】
Ｓ１０５においては、ＣＰＵ１３は、前回記録温度ＰLと予め設定されたしきい値である１℃との和（以下ＰLプラス温度と称する）と、現在温度Ｐとを比較演算する。比較演算の結果、ＰLプラス温度が現在温度Ｐよりも小さければ、Ｓ１０６に進む。ＰLプラス温度が現在温度Ｐ以上であれば、処理は終了し、現在温度Ｐは記録されない。
Ｓ１０６においては、ＣＰＵ１３は、プラス温度変化が連続したか、またはマイナス温度変化が連続したかを判断する。プラスまたはマイナスのいずれかの温度変化が連続した場合、Ｓ１０７に進む。プラスまたはマイナスのいずれの温度変化も連続していない場合は、Ｓ１０８に進む。なお、このＳ１０６における「＋連続」または「−連続」の判断とは、しきい値１℃を超えるプラスまたはマイナスの温度変化が生じたとき最初に記録された温度に続き、計測された温度がさらにしきい値１℃を超えるプラスまたはマイナスの温度であったかどうかを判断するものである。したがって、後述する図４のグラフ中の（４−ａ）で示すように、プラスの温度変化が始まってから最初の計測温度は記録されるが、２回目以降の計測温度は記録されない。
【００３１】
Ｓ１０７においては、ＣＰＵ１３は、前回記録時刻ＴLから３分経過しているかどうかを判断する。３分が経過していない場合、処理は終了し、現在温度Ｐは記録されない。
一方、３分経過している場合、Ｓ１０８に進む。
Ｓ１０８においては、現在時刻Ｔと現在温度Ｐとが記録される。
Ｓ１０９においては、データベース１２ｂに現在時刻Ｔと現在温度Ｐとを格納する。具体的には、現在時刻Ｔを前回記録時刻として、現在温度Ｐを前回記録温度として格納する。
【００３２】
＜温度記録プログラム実行による出力データ＞
図３のグラフは、一定間隔で温度の記録をとるという従来の温度記録方法による温度データのグラフである。図４のグラフは、本実施形態の温度記録方法による出力データのグラフである。
図３のグラフは、５分ごとに温度とその時刻とを記録したグラフである。この従来の温度記録方法では、図３の（３−ａ）が示すように、前回記録時刻から５分の間に急激な温度変化が生じた場合であっても、その温度変化は記録されないことになる。よって、正確な温度データをとることができない。他方、（３−ｂ）が示すように、長時間温度変化がなくとも５分ごとに温度記録がとられるため、不要な記録データ量が増える。
【００３３】
これに対し、本実施形態の温度記録方法による図４のグラフでは、（４−ａ）が示すように、最初に起こったしきい値１℃を超えるプラスの温度は記録され、さらにしきい値１℃を超えるプラスの温度変化が続いた場合は、前回記録時刻ＴLから所定の時間（本実施形態では３分）経過後取得した現在温度を記録する。また、温度変化がない場合は、（４−ｂ）が示すごとく、所定の時間（本実施形態では１５分）は記録しない。そのため、正確な温度データ、特に温度変化が著しいときの温度データは細かくとることができる一方で、全体として記録するデータ量を節減できる。
【００３４】
＜本実施形態の特徴＞
（I）
本実施形態の温度記録方法によれば、
（１）前回記録時刻ＴLから現在時刻Ｔまでの経過時間が１分以上であること、前回記録温度ＰLからのプラスまたはマイナスの温度変化がしきい値１℃以上であること、およびプラスまたはマイナスの温度変化が連続していないこと、
（２）（１）においてプラスまたはマイナスの温度変化が連続していても前回記録時刻ＴLから３分経過していること、
（３）前回記録時刻ＴLから現在時刻Ｔまでの経過時間が１５分以上であること、
のいずれかの条件を満たした場合に、現在時刻Ｔと現在温度Ｐとが記録される。よって、記録される温度のデータ量を必要最低限に抑えつつ、温度管理に必要な温度データを効率的に記録することができる。
【００３５】
（II）
本実施形態の温度記録方法は、ショーケースに用いられている。ショーケースの庫内温度は、一定の場合が多いものの、デフロスト制御時には急激に温度が上昇する場合があるため、そのような温度変化を監視する場合、温度の記録間隔を効率的に変更できる。
（III）
本実施形態の温度制御システムは、空調制御システムなど既存の遠隔制御システムに温度記録装置１０を導入したものであり、低コストで導入が簡単な温度制御システムが実現できる。
【００３６】
＜本実施形態の変形例＞
図５は、本実施形態による温度記録方法の変形例による処理の流れを示すフローチャートである。
図５において、Ｓ２０１〜Ｓ２０５は上記Ｓ１０１〜Ｓ１０５と同一の手順である。しかし、この第１変形例では、上記Ｓ１０６およびＳ１０７の手順、すなわち、プラスまたはマイナスの温度変化が連続しているかどうかの判断は省略されている。この結果、しきい値１℃を超える温度変化における温度データは全てとられる。
【００３７】
データ量は、図２の処理よりも多くなるものの、プラスまたはマイナスのピークの温度など、変化時の温度データを正確に記録することができる。
【図面の簡単な説明】
【００３８】
【図１】本発明の実施形態による温度制御システムの構成図。
【図２】上記実施形態における温度記録方法の処理の流れを示すフローチャート。
【図３】従来の温度記録方法により記録した温度データを示すグラフ。
【図４】本実施形態の温度記録方法による温度データを示すグラフ。
【図５】本実施形態の変形例による温度記録方法の処理の流れを示すフローチャート。
【符号の説明】
【００３９】
１０  温度記録装置
２０  ネットワーク
３０  ショーケース
３１  コントローラ
４０  ＬＡＮ
５０  管理センタ
Ｔ    現在時刻
Ｐ    現在温度
ＴL  前回記録時刻
ＰL  前回記録温度
【図１】
2007085780.tif 000003
【図２】
2007085780.tif 000004
【図３】
2007085780.tif 000005
【図４】
2007085780.tif 000006
【図５】
2007085780.tif 000007